(57)【要約】【課題】デジタルオーディオ録音再生装置の省電力化を実現する。【解決手段】再生時、システム制御部１は通常は低速クロック発振回路５の低速クロックで動作している。操作キー入力部２の操作キーのいずれかが操作されて入力が発生した場合、その入力をトリガーとしてクロック切り替え回路６で高速クロック発振回路４側に切り替えて高速クロックによる動作にした後、操作キーの入力検出を行い、操作キーの曲再生操作入力が発生した場合、メモリ部７からデジタル音声データと曲情報を取り出してデジタル信号処理部８でデコードし、音声データはＤ／Ａ変換部１２でアナログ変換して再生すると共に、曲情報をシステム制部１へ転送し、表示部３へ曲情報の設定・表示を行うように制御する。【選択図】図１
2008292874.tif 000002
【特許請求の範囲】
【請求項１】
デジタル音声データと曲情報とを格納するメモリ部と、
デジタル音声処理を行うデジタル信号処理部と、
音声信号の再生操作と曲の選択を行う操作キー入力部と、
前記曲情報の表示を行う表示部と、
高速クロック発振回路と、
低速クロック発振回路と、
前記高速クロックと前記低速クロックの選択切り替えを行うクロック切り替え回路と、
前記操作キーの入力に基づき前記デジタル音声処理部、前記表示部および前記クロック切り替え回路を制御するシステム制御部とを備え、
前記システム制御部は、前記低速クロック発振回路の低速クロックで動作しているとき、前記操作キー入力部のいずれかの操作キーが操作されて入力が発生した場合、この入力をトリガーとして、前記クロック切り替え回路で前記高速クロック発振回路側に切り替える制御を行って高速クロックによる動作にした後、前記操作キー入力部の入力検出を行い、前記操作キー入力部よりの曲再生操作入力が発生した場合、前記メモリ部からデジタル音声データと曲情報とを取り出して前記デジタル信号処理部でデコードし、デジタル音声データを出力するとともに前記曲情報を前記システム制御部へ転送し、前記表示部へ曲情報の設定を行うことを特徴とするデジタルオーディオ録音再生装置。
【請求項２】
デジタル音声データと曲情報とを格納するメモリ部と、
デジタル音声処理を行うデジタル信号処理部と、
音声信号の録音操作と曲情報の入力編集及び曲の選択を行う操作キー入力部と、
前記曲情報の表示を行う表示部と、
高速クロック発振回路と、
低速クロック発振回路と、
前記高速クロックと前記低速クロックの選択切り替えを行うクロック切り替え回路と、
前記操作キーの入力に基づき前記デジタル音声処理部、前記表示部および前記クロック切り替え回路を制御するシステム制御部とを備え、
前記システム制御部は、前記低速クロック発振回路の低速クロックで動作しているとき、前記操作キー入力部のいずれかの操作キーが操作されて入力が発生した場合、この入力をトリガーとして、前記クロック切り替え回路で前記高速クロック発振回路側に切り替える制御を行って高速クロックによる動作にした後、前記操作キー入力部の入力検出を行い、前記操作キー入力部よりの録音操作及び曲情報入力が発生した場合、前記表示部へ曲情報の設定とデジタル信号処理部へ録音制御を行い、前記デジタル信号処理部はデジタル音声データと曲情報をエンコードし、前記エンコードデータを前記メモリ部へ転送する制御を行うことを特徴とするデジタルオーディオ録音再生装置。
【請求項３】
前記システム制御部は、高速クロックによる動作状態において前記操作キー入力部に所定時間内で操作入力が無ければ、前記デジタル信号処理部と前記表示部への新たな制御データ転送は行わず、現在の制御データ設定を保持し、前記クロック切り替え回路で低速クロック発振回路側からの低速システムクロックの選択を行い、次の操作入力が発生するまでこの状態を維持することを特徴とする請求項１または２に記載のデジタルオーディオ録音再生装置。
【請求項４】
前記システム制御部は、録音時に高速クロックによる動作の場合、前記デジタル信号処理部に規定時間以上無信号状態が継続した場合は前記表示部への曲間・トラック情報表示設定を行い、規定の時間この情報を表示した後、この表示の消灯、表示の固定またはバックライトの消灯を行い、前記クロック切り替え回路で低速クロック発振回路側からの低速システムクロックの選択を行い、次の無信号状態が発生するまでこの状態を維持することを特徴とする請求項２または３に記載のデジタルオーディオ録音再生装置。
【請求項５】
前記システム制御部は、低速クロック選択時には前記表示部の消灯、表示の固定またはバックライトの消灯を行うことを特徴とする請求項１から３のいずれかに記載のデジタルオーディオ録音再生装置。
【発明の詳細な説明】
【技術分野】
【０００１】
本発明は、メモリ部にある曲情報の表示とメモリ部への曲情報の書き込み機能を搭載し、メモリ部に音声信号の録音再生が可能なデジタルオーディオ録音再生装置に関するものである。
【背景技術】
【０００２】
デジタルオーディオ録音再生装置は、音声信号再生時に曲情報の表示が必須であり、また音声信号録音時には曲情報の編集機能が必須となっている。ポータブルタイプのデジタルオーディオ録音再生装置では、音声信号の録音再生と曲情報の表示と曲情報編集入力を実現するために、マイクロコンピュータ等のシステム制御部を搭載している。一方、ポータブルタイプの機器においては電池を用いるため、省電力化を図らなければならない。
【０００３】
特許文献１には携帯用オーディオ再生装置において省電力化のため、ユーザーの操作部への入力による省電力再生動作への移行指示を受けると、音源のデジタルデータを間引いたり、曲の再生条件を変更したり、再生時の音量を下げたり、表示部の電源を切断する等の動作により省電力動作を行う例が示されている。
【特許文献１】特開２００２−１８９４８６号公報
【発明の開示】
【発明が解決しようとする課題】
【０００４】
上記の従来の装置では、省電力再生動作への移行のためには、ユーザーの意思で操作部へ「省電力状態に移行する」という意思を指示する必要があり、また、省電力再生とは音源のデジタルデータを間引いたり、曲の再生条件を変更したり、再生の音量を下げたり、というような再生品質の変更を伴うものであった。
【０００５】
本発明は、曲情報の表示機能を搭載し、メモリ部を用い、デジタル音声データの録音再生と曲情報の記録再生を制御するシステム制御部を有すデジタルオーディオ録音再生装置において、ユーザーが特に意識することなく、また再生品質の変更も伴わずに省電力化を行うことができるデジタルオーディオ録音再生装置を提供するためになされたものである。
【課題を解決するための手段】
【０００６】
この課題に対応するために本発明のデジタルオーディオ録音再生装置は、再生時において、デジタル音声データと曲情報とを格納するメモリ部と、デジタル音声処理を行うデジタル信号処理部と、音声信号の再生操作と曲の選択を行う操作キー入力部と、前記曲情報の表示を行う表示部と、高速クロック発振回路と、低速クロック発振回路と、前記高速クロックと前記低速クロックの選択切り替えを行うクロック切り替え回路と、前記操作キーの入力に基づき前記デジタル音声処理部、前記表示部および前記クロック切り替え回路を制御するシステム制御部とを備え、前記システム制御部は、前記低速クロック発振回路の低速クロックで動作しているとき、前記操作キー入力部のいずれかの操作キーが操作されて入力が発生した場合、この入力をトリガーとして、前記クロック切り替え回路で前記高速クロック発振回路側に切り替える制御を行って高速クロックによる動作にした後、前記操作キー入力部の入力検出を行い、前記操作キー入力部よりの曲再生操作入力が発生した場合、前記メモリ部からデジタル音声データと曲情報とを取り出して前記デジタル信号処理部でデコードし、デジタル音声データを出力するとともに前記曲情報を前記システム制御部へ転送し、前記表示部へ曲情報の設定を行うことを特徴とするものである。
【０００７】
この課題に対応するために本発明のデジタルオーディオ録音再生装置は、録音時において、デジタル音声データと曲情報とを格納するメモリ部と、デジタル音声処理を行うデジタル信号処理部と、音声信号の録音操作と曲情報の入力編集及び曲の選択を行う操作キー入力部と、前記曲情報の表示を行う表示部と、高速クロック発振回路と、低速クロック発振回路と、前記高速クロックと前記低速クロックの選択切り替えを行うクロック切り替え回路と、前記操作キーの入力に基づき前記デジタル音声処理部、前記表示部および前記クロック切り替え回路を制御するシステム制御部とを備え、前記システム制御部は、前記低速クロック発振回路の低速クロックで動作しているとき、前記操作キー入力部のいずれかの操作キーが操作されて入力が発生した場合、この入力をトリガーとして、前記クロック切り替え回路で前記高速クロック発振回路側に切り替える制御を行って高速クロックによる動作にした後、前記操作キー入力部の入力検出を行い、前記操作キー入力部よりの録音操作及び曲情報入力が発生した場合、前記表示部へ曲情報の設定とデジタル信号処理部へ録音制御を行い、前記デジタル信号処理部はデジタル音声データと曲情報をエンコードし、前記エンコードデータを前記メモリ部へ転送する制御を行うことを特徴とするものである。
【０００８】
そうして、上記の構成において、前記システム制御部は、高速クロックによる動作状態において前記操作キー入力部に所定時間内で操作入力が無ければ、前記デジタル信号処理部と前記表示部への新たな制御データ転送は行わず、現在の制御データ設定を保持し、前記クロック切り替え回路で低速クロック発振回路側からの低速システムクロックの選択を行い、次の操作入力が発生するまでこの状態を維持することを特徴とするものである。
【０００９】
また、上記の構成のうち、録音時において、前記システム制御部は、高速クロックによる動作の場合、前記デジタル信号処理部に規定時間以上無信号状態が継続した場合は前記表示部への曲間・トラック情報表示設定を行い、規定の時間この情報を表示した後、この表示の消灯、表示の固定またはバックライトの消灯を行い、前記クロック切り替え回路で低速クロック発振回路側からの低速システムクロックの選択を行い、次の無信号状態が発生するまでこの状態を維持することを特徴とするものである。
【００１０】
さらに、上記各構成において、前記システム制御部は、低速クロック選択時には前記表示部の消灯、表示の固定またはバックライトの消灯を行うことを特徴とするものである。
【発明の効果】
【００１１】
以上のように本発明によれば、システム制御部は、再生または録音時、低速クロック動作中に操作キーへの入力をトリガーとして、高速クロックに設定して制御部による再生、録音、表示等の設定を行い、この状態で規定時間以上キー入力が無ければ、現在の制御設定を保持した上で低速クロックに切り替え、その際必要により表示部の消灯、表示の固定またはバックライトの消灯を行う。
【００１２】
また本発明によれば、システム制御部は、録音時、低速クロック動作中に曲間無信号の検出をトリガーとして、高速クロックに設定して、規定時間以上無信号が継続すれば、表示部へ曲間・トラック情報の表示設定を行い、曲の録音、曲間・トラック情報を記録し、規定の時間トラック情報を表示した後、表示の消灯、表示の固定、バックライトの消灯等を行った後、低速クロックに設定する。
【００１３】
本発明は上記のような動作により、操作者の特段の操作がなくとも、再生、録音品質の低下もなく省電力化を実現することができ、電池寿命の長時間化が実現可能となる。
【発明を実施するための最良の形態】
【００１４】
以下、本発明の一実施形態について、図面を用いて説明する。図１は本発明の一実施形態におけるデジタルオーディオ録音再生装置の構成を示すブロック図、図２は同じくその再生時における操作キー入力検出制御のフローチャート、図３は同じくそのオーディオ録音時における操作キー入力検出モードのフローチャート、図４は同じくそのオーディオ録音時における曲間自動検出モードのフローチャートである。
【００１５】
図１において、システム制御部１は、音声データの録音再生操作と曲情報の入力を行う操作キー入力部２の入力を受け付け、表示部３、クロック切り替え回路６、メモリ部７、デジタル信号処理部８を制御する。
【００１６】
クロック切り替え回路６はシステム制御回路１の制御によりシステム制御部１用のシステムクロックとして高速クロックを発生させる高速クロック発振回路４と低速クロックを発生させる低速クロック発振回路５とを切り替えてシステム制御部１に供給する。
【００１７】
高速クロック発振回路４は、デジタル信号処理部８のクロックとしても共用できるよう、たとえば４０ＭＨｚ程度の周波数を用いるが、低速クロック発振回路5は、たとえば図示しない時計用のクロックを共用する場合は、たとえば、３２ｋＨｚという低い周波数を使う。
【００１８】
デジタル信号処理部８はデジタル音声データと曲情報とが格納されているメモリ部７からデジタル信号を取り出し、Ｄ／Ａ変換部１２でアナログ信号に変換して音声出力端子９へ出力する。
【００１９】
また音声入力端子１０からのアナログ音声入力はＡ／Ｄ変換部１１でデジタル信号に変換されてデジタル信号処理部８で処理されてメモリ部７に録音される。このデジタル信号処理部８、メモリ部７、Ａ／Ｄ変換部１１、Ｄ／Ａ変換部１２の処理のためのクロックは高速クロック発振回路４のクロックを共用するか、または別途図示しない発振回路から供給する。
【００２０】
以上のように構成され、次に図２の再生時における操作キー入力検出制御のフローチャートを併用してシステム制御部１の動作を説明する。まず、ステップＰ１において、通常時はクロック切り替え回路６が低速クロック発振回路５に切り替えられ、低速クロックに設定されて低速クロックで動作している。
【００２１】
ステップＰ２において、いずれかの操作キーが操作されて操作キー入力部２より入力があるか否かを判定し、入力がある場合、ステップＰ３に進み、なければステップＰ２に戻る。
【００２２】
ステップＰ３では、操作キー入力をトリガーとしてクロック切り替え回路６を高速クロック発振回路４の高速クロック側に切り替える制御を行って高速クロックを設定し、高速クロックでの動作に切り替える。
【００２３】
この高速クロックによる動作に切り替えた後、次のステップＰ４において、更に、操作キーの操作に対応した操作キー入力部２よりの入力があるか否かを判定し、入力が有る場合はステップＰ５に進んで、当該入力の操作キーの内容を判別し、入力がない場合はステップＰ８に進む。この場合、ユーザーがステップＰ２で操作キーを押した後、まだ手を離さずにいればステップＰ４で操作キー入力が検出されるものであり、またステップＰ２で操作キーが押されてから、ステップＰ４までの間にキーから手を離したとしても、反応がなければユーザーは再度操作をするので、次のルーチンで操作キー入力を検出することができる。
【００２４】
ステップＰ５で操作キー内容を判別した後、次のステップＰ６において、操作キーの内容に対応して、デジタル信号処理部８にて選択された曲の再生とその曲情報データの再生を行う制御データの転送を行い、またステップＰ７で表示部３に対する曲情報の表示設定を行う制御データの転送を行う。これにより表示部３において曲名の表示その他必要な表示を行う。
【００２５】
そして、ステップＰ８では、操作キー入力があって曲情報を設定した後、所定（規定）時間が経過したかどうかを判定し、所定時間入力がない場合にステップＰ１に戻り、クロック切り替え回路９を低速クロック発振回路５側に切り替える制御を行って低速クロックに設定して、低速クロックでの動作に切り替える。ステップＰ８で所定時間が経過していない場合は、ステップＰ４に戻る。
【００２６】
低速クロックに設定されると共に、表示部３では次のいずれかの動作を行う。まず表示部３の表示そのものを消去するという動作が考えられる。次に表示部３の表示を設定時のまま固定するという動作もある。最後に表示部にバックライトがある場合はこれを消去するという動作もある。
【００２７】
上記の操作キー入力のほかに、たとえば再生中の曲が変わって、次の曲の曲情報がメモリ部7から再生されたとき、デジタル信号処理部８からシステム制御部１への入力によりステップＰ２において、クロック切り替え回路６により高速クロック発振回路４側に切り替えられ、高速クロック設定がされる。
【００２８】
つぎに、図３のオーディオ録音時における操作キー入力検出モードのフローチャートを併用してシステム制御部１の動作を説明する。まず、システム制御部１は、ステップＲ１において、システムクロックが通常時はクロック切り替え回路６が低速クロック発振回路５に切り替えられ、低速クロックに設定されて動作している。
【００２９】
ステップＲ２において、いずれかの操作キーが操作されて操作キー入力部２より入力があるか否かを判定し、入力がある場合、ステップＲ３に進み、なければステップＲ２に戻る。
【００３０】
ステップＲ３では、操作キー入力をトリガーとしてクロック切り替え回路６を高速クロック発振回路４の高速クロック側に切り替える制御を行って高速クロックに設定し、高速クロックでの動作に切り替える。
【００３１】
この高速クロックによる動作に切り替えた後、次のステップＲ４において、更に、操作キーの操作に対応した操作キー入力部２よりの入力があるか否かを判定し、入力が有る場合はステップＲ５に進んで、当該入力の操作キーの内容を判別し、入力がない場合はステップＲ８に進む。
【００３２】
ステップＲ５で操作キー内容を判別した後、次のステップＲ６において、操作キーで入力された曲情報を表示部３に対し表示設定を行い表示させ、またステップＲ７において操作キーで入力された曲情報と、音声入力端子１０から入力し、Ａ／Ｄ変換部１１で変換されたデジタル音声データとをデジタル信号処理部８で変換処理してメモリ部７へ記録・録音を行うための制御データの転送を行う。
【００３３】
そして、ステップＲ８では、操作キー入力部２より録音操作および曲情報入力の操作キー入力があってクロック切り替え回路６で高速クロック発振回路４からのシステムクロックを選択して曲情報を設定した後、所定（規定）時間が経過したかどうかを判定し、所定時間入力がない場合にステップＲ１に戻り、低速クロックに設定して、クロック切り替え回路６を低速クロック発振回路５の低速クロック側に切り替える制御を行って低速クロックでの動作に切り替える。ステップＲ８で所定時間が経過していない場合は、ステップＲ４に戻る。
【００３４】
このように、システム制御部１は、操作キー入力部２に規定の時間内で操作キー入力が無ければ、デジタル信号処理部８と表示部３への制御データ転送は行わず、現在の制御データ設定のままとし、クロック切り替え回路６で低速クロック発振回路５からのシステムクロックの選択を行い、次の操作キー入力が発生するまで、低速クロック発振回路５のシステムクロックで動作することにより、システム制御部１の省電力化を図ることができる。
【００３５】
次に、図４のオーディオ録音時における曲間自動検出モードのフローチャートを併用してシステム制御部１の動作を説明する。図３ではトラック情報を操作キーにて入力する方式の場合の説明であったが、図４は曲間を自動的に検出し、自動的にトラック情報を記録するモードのフローチャートである。
【００３６】
システム制御部１は、ステップＡ１において、システムクロックが通常時は低速クロックに設定されて動作しており、次のステップＡ２において、入力端子１０からのアナログ信号をＡ／Ｄ変換部１１でＡ／Ｄ変換した後、曲間無信号が有るか否かをデジタル信号処理部８で判定し、曲間無信号がある場合、ステップＡ３に進み、なければステップＡ２に戻る。
【００３７】
ステップＡ３で、システム制御部１は、デジタル信号処理部８からの曲間無信号判定をトリガーとしてクロック切り替え回路６を高速クロック発振回路４に切り替える制御を行って高速クロックに設定し、高速クロックでの動作に切り替える。
【００３８】
この高速クロックによる動作に切り替えた後、次のステップＡ４において、デジタル信号処理部８からの無信号情報が規定時間以上続くか否かを判定し、規定時間以上の無信号が続く場合はステップＡ５に進み、無信号が規定時間続かない場合はステップＡ１へ戻る。
【００３９】
ステップＡ５では、表示部３に対し曲間情報及びトラック情報の表示設定を行い、ステップＡ６では、トラック情報とＡ／Ｄ変換部１１で変換されたデジタル音声データをメモリ部７へ記録を行うための制御データの転送を行う。
【００４０】
そして、ステップＡ７では、表示部３で規定の時間トラック情報と曲間表示を行い、ステップＡ８に移行し、表示部３を消灯させる制御を行う。または表示内容を固定とし、または表示点灯のままバックライトのみを消灯する、という制御でも差し支えない。
【００４１】
このように、システム制御部１は、デジタル信号処理部８の判定により音声入力端子１０への音声信号入力の無号信号時間が規定の時間続かなければ、表示部３への制御データ転送は行わず、現在の制御データ設定のままとし、クロック切り替え回路６での低速クロック発振回路５からのシステムクロックの選択のままとし、次の操作キー入力の発生または入力の無信号時間が規定時間継続するまで、低速クロック発振回路５のシステムクロックで動作することにより、システム制御部１の省電力化を図ることができる。
【００４２】
ここで、図４においてステップＡ８における表示消灯やバックライトの消灯を例示したが、図２におけるステップＰ８、図３におけるステップＲ８のそれぞれの後にも同様な制御を行ってもよい。
【００４３】
以上のように本実施の形態によれば、操作キーからの入力がなく、また録音時の無信号が規定時間継続することなく、再生または録音の状態を継続する場合は、クロック周波数を下げ、同時に表示も消灯するとか、表示を固定するとか、またはバックライトのみを消灯するなどによって従来に比べシステム制御部と表示部の消費電力を削減できるデジタルオーディオ録音再生装置を実現することができる。
【産業上の利用可能性】
【００４４】
本発明にかかるデジタルオーディオ録音再生装置は、再生または録音中に、操作キー入力があれば高速クロックに設定して所定の設定を行った後、規定時間キー入力が無ければ低速クロックに設定し、また、録音中に曲間無信号をキーに高速クロックに設定し、規定時間の曲間無信号により所定の設定の後、低速クロックに設定して動作し、低速クロックに移行するときに必要により表示部の消灯や表示の固定、バックライトの消灯をおこなうなどで、使用者の特段の操作がなくとも、また再生品質の変更を伴わず省電力化を実現でき、ポータブルタイプの機器で重要な電池寿命の長時間化、または電池サイズの小型化によるセットサイズの小型化が実現可能となり、小型で電池寿命の長時間化に対応したポータブルタイプのデジタルオーディオ録音再生装置等に有用な技術である。
【図面の簡単な説明】
【００４５】
【図１】本発明の一実施形態におけるデジタルオーディオ録音再生装置の構成を示すブロック図
【図２】同じくその再生時における操作キー入力検出制御のフローチャート
【図３】同じくそのオーディオ録音時における操作キー入力検出モードのフローチャート
【図４】同じくそのオーディオ録音時における曲間自動検出モードのフローチャート
【符号の説明】
【００４６】
１    システム制御部
２    操作キー入力部
３    表示部
４    高速クロック発振回路
５    低速クロック発振回路
６    クロック切り替え回路
７    メモリ部
８    デジタル信号処理部
９    音声出力端子
１０    音声入力端子
１１    Ａ／Ｄ変換部
１２    Ｄ／Ａ変換部
【図１】
2008292874.tif 000003
【図２】
2008292874.tif 000004
【図３】
2008292874.tif 000005
【図４】
2008292874.tif 000006